(57)【特許請求の範囲】
【請求項１】
垂直状の振止板の前後両面に設けた水平板と、これらの水平板の一方に形成した遮音部とからなり、該遮音部は空隙部であり、振止板の上部には切込溝が設けられたことを特徴とする耐震スリット用ソケット。
【請求項２】
水平板同士は段違いで取り付けたことを特徴とする請求項１に記載の耐震スリット用ソケット。
【請求項３】
水平板の下面にずれ止用の突起を設けたことを特徴とする請求項１または２に記載の耐震スリット用ソケット。
【請求項４】
空隙部に遮音材を充填したことを特徴とする請求項１〜３のいずれかに記載の耐震スリット用ソケット。
【請求項５】
壁と床との接合部に、垂直状の振止板の前後両面に設けた水平板と、これらの水平板の一方に形成した遮音部とからなるソケットを設置し、前記水平板上と遮音部上とに耐火板を設置するとともに、壁内における振止板の上端部にクッション材を設けたことを特徴とする耐震スリット。
【請求項６】
水平板同士は段違いで取り付け、その下面にずれ止用の突起を設けたことを特徴とする請求項５に記載の耐震スリット。
【請求項７】
耐火板と壁との境界部における振止板に切込溝を設けたことを特徴とする請求項５または６に記載の耐震スリット。
【請求項８】
遮音部は空隙部であることを特徴とする請求項５〜７のいずれかに記載の耐震スリット。
【請求項９】
空隙部に遮音材を充填したことを特徴とする請求項８に記載の耐震スリット。
【請求項１０】
垂直状の振止板の前後両面に設けた水平板と、これらの水平板の一方に形成した遮音部とからなるソケットを床型枠に設置して床コンクリートを打設し、前記水平板と遮音部とに耐火板を設置するとともに、振止板の上端部にクッション材を設けた後、壁型枠を組立形成して壁コンクリートを打設することを特徴とする耐震スリットの形成方法。
【発明の詳細な説明】
【０００１】
【発明の属する技術分野】
本発明は耐震スリット用ソケットおよび耐震スリットならびにその形成方法に関するものである。
【０００２】
【従来の技術】
従来の鉄筋コンクリート構造物における壁と床との接合部に形成した耐震スリットは、図５に示すように、壁２５と床２６との間に止水材２７および耐火板２８を設置し、床２６からの振止筋２９で壁２５を接合するとともに、膨張性のシール材３０で止水していた。
【０００３】
【発明が解決しようとする課題】
しかし、上記のような耐震スリットは、地震によって壁が揺れると壁と止水材との間、または止水材と床との間に隙間ができてしまって止水および遮音ができないという問題があった。
【０００４】
本発明は、このような問題に鑑みてなされたものであり、その目的は、スリットを形成する壁と止水材との間、または止水材と床との間に隙間ができたとしても止水および遮音のできる耐震スリット用ソケットおよび耐震スリットならびにその形成方法を提供することである。
【０００５】
【課題を解決するための手段】
以上の課題を解決するための手段は、請求項１の発明が、垂直状の振止板の前後両面に設けた水平板と、これらの水平板の一方に形成した遮音部とからなり、該遮音部は空隙部であり、振止板の上部には切込溝が設けられたことを特徴とする耐震スリット用ソケット。
【０００６】
請求項１の発明によれば、垂直状の振止板で止水ができるとともに、遮音部で遮音ができる。また壁が地震で大きく揺れたときに、振止板の上部が切込溝から折れることにより振止板全体の破壊を防ぐ。また遮音部を空隙部としたことにより遮音効果が高まる。
【０００７】
また請求項２の発明が、請求項１において、水平板同士は段違いで取り付けたことを特徴とする。
【０００８】
請求項２の発明によれば、水平板同士の段差部により、耐震スリット用ソケットの床への固定およびずれ止めが確実に行われる。
【０００９】
また請求項３の発明が、請求項１または２において、水平板の下面にずれ止用の突起を設けたことを特徴とする。
【００１０】
請求項３の発明によれば、ずれ止用の突起がアンカーおよび止水の役目をする。
【００１１】
また請求項４の発明が、請求項１〜３のいずれかにおいて、空隙部に遮音材を充填したことを特徴とする。
【００１２】
請求項４の発明によれば、空隙部に充填した遮音材により遮音効果がさらに高まる。
【００１３】
請求項５の発明が、壁と床との接合部に、垂直状の振止板の前後両面に設けた水平板と、これらの水平板の一方に形成した遮音部とからなるソケットを設置し、前記水平板上と遮音部上とに耐火板を設置するとともに、壁内における振止板の上端部にクッション材を設けたことを特徴とする。
【００１４】
請求項５の発明によれば、壁が地震で揺れて耐火板との間に隙間ができた場合は、前部水平板における耐火板の立ち上げ部で止水および遮音を行い、また前部水平板と耐火板との間に隙間ができた場合は、垂直状の振止板で止水および遮音を行い、さらに水平板と床との間に隙間ができた場合は、突起と段差部とで止水および遮音を行う。
【００１５】
また請求項６の発明が、請求項５において、水平板同士は段違いで取り付け、その下面にずれ止用の突起を設けたことを特徴とする。
【００１６】
請求項６の発明によれば、水平板同士の段差部により免震スリット用ソケットの床への取り付け、およびずれ止めを確実に行える。
【００１７】
また請求項７の発明が、請求項５または６において、耐火板と壁との境界部における振止板に切込溝を設けたことを特徴とする。
【００１８】
請求項７の発明によれば、壁が地震で大きく揺れた場合、振止板上部が切込溝から折れることにより振止板全体の破壊を防ぐ。
【００１９】
請求項８の発明が、請求項５〜７のいずれかにおいて、遮音部は空隙部であることを特徴とする。
【００２０】
請求項８の発明によれば、空隙部により遮音効果が高まる。
【００２１】
請求項９の発明は、請求項８において、空隙部に遮音材を充填したことを特徴とする。
【００２２】
請求項９の発明によれば、遮音材により遮音効果がさらに高まる。
【００２３】
請求項１０の発明が、垂直状の振止板の前後両面に設けた水平板と、これらの水平板の一方に形成した遮音部とからなるソケットを床型枠に設置して床コンクリートを打設し、前記水平板と遮音部とに耐火板を設置するとともに、振止板の上端部にクッション材を設けた後、壁型枠を組立形成して壁コンクリートを打設することを特徴とする。
【００２４】
請求項１０の発明によれば、壁と床との接合部に耐震スリット用ソケットを設置することにより耐震スリットが簡単に形成できる。
【００２９】
【発明の実施の形態】
以下、本発明の耐震スリット用ソケットおよび耐震スリットならびにその形成方法の実施の形態を図面に基づいて説明する。はじめに耐震スリット用ソケットについて説明し、次に、これを使用した耐震スリットならびにその形成方法について説明する。図１は耐震スリット用ソケット（以下、ソケットという。）の斜視図である。
【００３０】
ソケット１は塩化ビニル製であり、垂直状の振止板２の前面には前部水平板３が、後面には後部水平板４がそれぞれ段違いで一体形成され、これらの水平板３、４の下面にずれ止め用の突起５が長さ方向に一体形成されている。この突起５と水平板３、４の段差部６によりずれ止めおよび止水を行う。
【００３１】
後部水平板４の上面には遮音部７である空隙部８が形成されている。この遮音部７は後部水平板４の先端部４ａを少し残して形成され、この先端部４ａが床の天端レベルの基準面となる。また空隙部８にロックウールなどの遮音材（図示せず）を充填すると遮音効果がさらに高まる。
【００３２】
振止板２の上端部はゴムなどのクッション材１０で覆われ、これにキャップ１１が被覆されている。またクッション材１０で覆われた上側部分は、長さ方向に形成された切込溝１２で折れ曲がり易くなっている。このクッション材１０は施工上の位置決めも兼ねているので入れなくとも大きな影響はない。
【００３３】
次に、上記のソケットを使用した耐震スリットの実施の形態を図３に基づいてついて説明する。この耐震スリット１３は、図２に示すように、外壁または仕切壁などの壁１４と床１５との接合部にソケット１が設置されて形成されている。前記振止板２における段違いの水平板３、４がそれぞれ床１５に埋設され、これらの水平板３、４の段差部６と突起５とによりソケット１が横方向にずれるのを防ぐとともに、これらが止水の役目も果たしている。
【００３４】
また、後部水平板４の上面には遮音部７である空隙部８が先端部４ａを少し残した状態で形成され、この先端部４ａが床１５の天端レベルの基準面となっている。また遮音部７は空隙部８で十分に遮音効果を発揮するが、この遮音効果は空隙部８にロックウールなどの遮音材を充填するとさらに高まる。
【００３５】
また前部水平板３と遮音部７との上面には、セラミックなどの耐火板１６が接着剤で設置されて、前部水平板３および振止板前面９ａと、遮音部７および振止板後面９ｂとを耐火被覆している。なお、耐火板１６はセラミックに限らず、ロックウールなどのを使用することもできる。
【００３６】
振止板２の上端部は壁１４内に埋設されて、ゴムなどのクッション材１０およびキャップ１１で被覆され、前記クッション材１０が被覆された部分は切込溝１２で折り曲げ易くなっている。したがって、大地震で壁１４が大きく揺れると切込溝１２から振止板上部が折れ曲がって、振止板全体が破損するのを防ぐ。このように壁１４が大きく揺れて耐火板１６との間に隙間ができた場合は、前部水平板３における耐火板１６の立ち上げ部１６ａで止水および遮音を行い、また前部水平板３、４と耐火板１６との間に隙間ができた場合は、振止板２で止水および遮音を行い、さらに水平板３、４と床１５との間に隙間ができた場合は、突起５と段差部６とで止水および遮音を行うことにより、完璧な止水および遮音が行える。特に、水平板３、４が段違いで取り付けられ、かつこれらのそれぞれに突起５が形成されていることにより止水および遮音効果が高くなる。
【００３７】
以下、上記の耐震スリットの形成方法の実施の形態を図４に基づいて説明する。はじめに上記のソケット１を現場に搬入して設置準備を整えておく。次に、図４の（１）に示すように、床型枠１７に止水材充填用の凹部を形成する角材１８を取り付けるとともに、ソケット１を固定材１９で床型枠１７にボルト止めして、前部水平板３を角材１８の上に載置する。そして、この床型枠１７内に床コンクリート２０を打設し、後部水平板４の先端部４ａを基準として床１５の天端レベルを調整する。
【００３８】
また床コンクリート２０が硬化した後に、図４の（２）に示すように、床型枠１７を解体して止水材充填用の凹部２１に止水材２２を充填する。次いで、前部水平板３と遮音部７との上面にセラミック製の耐火板１６を接着剤で取り付けて耐火被覆するとともに、振止板２の上端部をゴムなどのクッション材１０で覆い、これにキャップ１１を被せる。次いで、壁鉄筋（図示せず）の配筋と壁型枠２３の組立を行って壁コンクリート２４を打設する。そして壁コンクリート２４が硬化した後に、壁型枠２３を解体すると壁１４と床１５との接合部に耐震スリット１３が形成される（図２参照）。
【００３９】
【発明の効果】
垂直状の振止板で止水ができるとともに、遮音部で遮音ができる。
【００４０】
水平板同士の段差部でソケットの床への固定およびずれ止めが確実に行えるとともに、止水および遮音も確実に行える。
【００４１】
ずれ止用の突起がアンカーとなってソケットの床への固定およびずれ止めが確実に行えるとともに、止水および遮音も確実に行える。
【００４２】
壁が地震で大きく揺れたときに、振止板上部が切込溝から折れることにより、振止板全体の破壊を防ぐ。
【００４３】
遮音部の空隙部で遮音効果が高まる。
【００４４】
空隙部に充填された遮音材で遮音効果がさらに高まる。
【００４５】
壁が地震で揺れて耐火板との間に隙間ができた場合は、前部水平板における耐火板の立ち上げ部で止水および遮音を行い、また前部水平板と耐火板との間に隙間ができた場合は、振止板で止水および遮音を行い、さらに水平板と床との間に隙間ができた場合は、突起と段差部とで止水および遮音を行うので、完璧な止水および遮音を行える。
【００４６】
壁と床との接合部に耐震スリットが簡単に形成できる。
【図面の簡単な説明】
【図１】ソケットの斜視図である。
【図２】耐震スリットの正面図である。
【図３】（１）は耐震スリットの断面図、（２）は振止板上部の拡大断面図である。
【図４】（１）はソケットを取り付けた床型枠に床コンクリートを打設した断面図、（２）はソケットに耐火板を設置して壁型枠に壁コンクリートを打設した断面図である。
【図５】従来の耐震スリットの断面図である。
【符号の説明】
１  ソケット
２  振止板
３  前部水平板
４  後部水平板
４ａ  先端部
５  突起
６  段差部
７  遮音部
８    空隙部
９ａ  振止板前面
９ｂ  振止板後面
１０  クッション材
１１  キャップ
１２  切込溝
１３  耐震スリット
１４、２５  壁
１５、２６  床
１６、２８  耐火板
１７  床型枠
１８  角材
１９  固定材
２０  床コンクリート
２１  止水材充填用の凹部
２２  充填材
２３  壁型枠
２４  壁コンクリート
２７  止水材
２９  振止筋
３０  シール材
【図１】
0003615078.tif 000002
【図２】
0003615078.tif 000003
【図３】
0003615078.tif 000004
【図４】
0003615078.tif 000005
【図５】
0003615078.tif 000006